(57)【特許請求の範囲】
【請求項１】
１以上の赤外線透過レンズと、当該赤外線透過レンズをレンズ保持枠を介して収容するレンズ鏡筒と、撮像画像の像振れを防止するために補正用レンズとして磁気的手段を用いて機能する赤外線透過レンズの像振れ補正挙動を行うためのアクチュエータとを含む赤外線カメラ用レンズユニットであって、
当該補正用レンズとして機能する赤外線透過レンズのレンズ保持枠は、当該赤外線透過レンズ用のレンズ固定開口部と、当該補正用レンズと当該アクチュエータとの間に配置され当該アクチュエータから発せられる熱を遮るために当該レンズ固定開口部の外周に光軸方向に峻立した遮蔽用壁面とを備え、
当該補正用レンズと当該レンズ鏡筒との間に、当該アクチュエータから発せられる熱が当該レンズ鏡筒の中心部に向けて伝達するのを防ぐ隔離空間を設け、
当該隔離空間には光軸に沿った被写体側及び結像側の少なくとも一方に、アルミニウム系金属材、鉄系金属材から選択される熱伝導性に優れた金属材からなる放熱用壁面を光軸に交わる方向に沿って設けたことを特徴とする赤外線カメラ用レンズユニット。
【請求項２】
前記放熱用壁面は、前記補正用レンズのレンズ保持枠が備える遮蔽用壁面の先端部から鏡筒の内壁面に向けて配置したものである請求項１に記載の赤外線カメラ用レンズユニット。
【請求項３】
前記放熱用壁面は、鏡筒の内壁面から延設したものである請求項１に記載の赤外線カメラ用レンズユニット。
【請求項４】
前記レンズ保持枠の遮蔽用壁面は、プラスチック樹脂を用いて形成したものである請求項１〜請求項３のいずれかに記載の赤外線カメラ用レンズユニット。
【請求項５】
前記レンズ鏡筒は、アルミニウム系金属材、鉄系金属材から選択される熱伝導性に優れた金属材で形成されたものである請求項１〜請求項４のいずれかに記載の赤外線カメラ用レンズユニット。
【請求項６】
前記レンズ鏡筒は、その外周面に、ヒートシンクを設けたものである請求項１〜請求項５のいずれかに記載の赤外線カメラ用レンズユニット。
【請求項７】
請求項１〜請求項６のいずれかに記載の赤外線カメラ用レンズユニットを用いたことを特徴とする赤外線カメラ。
【発明の詳細な説明】
【技術分野】
【０００１】
本件発明は、赤外線カメラ用レンズユニットに関し、更に詳しくは撮像画像の振れを防止する機構を搭載したレンズユニット、及びそれを用いた赤外線カメラに関する。
【背景技術】
【０００２】
従来より、撮影者の手振れ等によって生じる撮像画像の振れ（像振れ）を補正する機構をレンズ鏡筒内に搭載した赤外線カメラが存在する。仮に、撮影時において赤外線カメラに振れが生じると、いかに正確にピントを合わせ、また露出を適正に調整したとしても、被写体側からの光束がレンズ光軸に対して相対的に変位して、被写体像の鮮鋭度が低下してしまう。従って、赤外線カメラには、撮像画像の振れを補正する技術として、「検出した振れ量を打ち消す方向へ、シフトレンズ又は撮像素子を動かすことにより像振れを補正する光学式」、「撮像した画像とそれ以降に撮像した画像とを比較して、画像処理を行い像振れを補正する電子式」とが主に採用されている。
【０００３】
しかし、赤外線カメラ（特に、中赤外線領域及び遠赤外線領域用）の撮像素子は、画素数が少なく、電子式補正では高精度の補正を行うことが出来ない。そのため、現在の赤外線カメラには、光学式補正の中でも、レンズ鏡筒内に振動ジャイロと称されるセンサーを備えた補正レンズを搭載し、当該補正レンズを撮像レンズの振れ量に応じ像振れを打ち消す方向に駆動させて、結像面に届く光束を一定状態に保つ方式（レンズシフト方式）が主に採用されている。
【０００４】
このような、補正レンズの位置をコントロールして撮像画像の振れを光学的に補正する機構を備えた赤外線カメラでは、レンズ鏡筒内のセンサーが手振れ等による撮像レンズの角速度成分を検出し、当該センサーが検知した信号がマイクロコンピューターで演算処理されることで、補正レンズを駆動するための信号が補正レンズ駆動用のアクチュエーターに送られる。なお、当該補正レンズは、応答性・制御性に優れるアクチュエーターを用いて直接駆動されることで、撮像画像の振れを抑制する効果をより向上させることが出来る。
【０００５】
このような撮像画像の振れを光学的に補正する機構として、例えば本件出願人が先に提供した特開２００４−３６２９２４号に開示の「アクチュエーター及びそれを備えたレンズユニット及びカメラ」におけるＶＣ（ｖｉｂｒａｔｉｏｎ  ｃｏｍｐｅｎｓａｔｉｏｎ）方式が挙げられる（特許文献１）。具体的には、特許文献１に開示されているＶＣ方式は、アクチュエーターが、固定側部材と、可動側部材と、この可動側部材を、上記固定側部材に対して移動できるように支持する可動側部材支持手段と、上記固定側部材又は上記可動側部材のうちの何れか一方に取り付けられた駆動用コイルと、上記固定側部材又は上記可動側部材のうちの他方に取り付けられ、上記駆動用コイルに電流が流れると駆動力を受けるように配置された駆動用磁石と、上記駆動用コイルの巻線の内側に配置され、上記駆動用磁石の位置を検出する磁気センサと、上記可動側部材の移動すべき位置を指令する信号及び上記磁気センサによって検出された位置信号に基づいて、上記駆動用コイルに流す駆動電流を制御する制御手段と、を有することを特徴とするものである。
【先行技術文献】
【特許文献】
【０００６】
【特許文献１】特開２００６−１７４５８８号公報
【発明の概要】
【発明が解決しようとする課題】
【０００７】
しかし、上述した特許文献１に示される撮像画像の振れを光学的に補正する機構は、像振れ補正の精度を高く維持するためにレンズ鏡筒内に搭載されるものである。すなわち、当該機構を赤外線カメラに採用するにあたって、補正レンズを駆動用のアクチュエーターが、赤外線を放射することで撮像品質の低下を招いてしまう。赤外線カメラは、人間等の熱源が放射する赤外線を検出して撮影することが可能であり、暗闇において物体認識を正しく行うことが出来るものである。赤外線カメラは、近年における人々の、セキュリティに対する関心の向上や、自動車の夜間走行の安全性に対する意識の向上に伴い、その需要は年々増加傾向にある。従って、撮像画像の振れを防ぐために当該機構を採用した場合であっても、アクチュエーターの発する熱が撮像画像に写り込まず、鮮明な画像を取得することが出来る赤外線カメラ用レンズユニットが求められていた。
【０００８】
本件発明は、かかる従来の課題に鑑みてなされたものであり撮像画像の振れを光学的に補正する機構をレンズ鏡筒内に配置する構成において、当該機構を構成するアクチュエーターが発する熱の撮像画像への写り込みを防止する赤外線カメラ用レンズユニットを提供することを目的とする。
【課題を解決するための手段】
【０００９】
そこで、本件発明者等は、鋭意研究の結果、上述した課題を解決するために以下のような赤外線カメラ用レンズユニットを採用した。
【００１０】
本件発明に係る赤外線カメラ用レンズユニット：  本件発明の赤外線カメラ用レンズユニットは、１以上の赤外線透過レンズと、当該赤外線透過レンズをレンズ保持枠を介して収容するレンズ鏡筒と、撮像画像の像振れを防止するために補正用レンズとして磁気的手段を用いて機能する赤外線透過レンズの像振れ補正挙動を行うためのアクチュエーターとを含む赤外線カメラ用レンズユニットであって、当該補正用レンズとして機能する赤外線透過レンズのレンズ保持枠は、当該赤外線透過レンズの固定用開口部を備え、当該レンズ固定用開口部の外周に光軸方向に峻立した遮蔽用壁面を備え、当該補正用レンズと当該レンズ鏡筒との間に隔離空間を設けたことを特徴としている。
【００１１】
また、本件発明に係る赤外線カメラ用レンズユニットにおいて、前記隔離空間には、光軸に沿った被写体側及び結像側の少なくとも一方に、放熱用壁面を設けたことが好ましい。
【００１２】
また、本件発明に係る赤外線カメラ用レンズユニットにおいて、前記放熱用壁面は、前記補正用レンズのレンズ保持枠が備える遮蔽用壁面の先端部から鏡筒の内壁面に向けて配置したものであることが好ましい。
【００１３】
また、本件発明に係る赤外線カメラ用レンズユニットにおいて、前記放熱用壁面は、鏡筒の内壁面から延設したものであることが好ましい。
【００１４】
また、本件発明に係る赤外線カメラ用レンズユニットにおいて、前記レンズ保持枠の遮蔽用壁面は、プラスチック樹脂を用いて形成したものであることが好ましい。
【００１５】
また、本件発明に係る赤外線カメラ用レンズユニットにおいて、前記レンズ鏡筒及び前記放熱用壁面は、アルミニウム系金属材、鉄系金属材から選択される熱伝導性に優れた金属材で形成されたものであることが好ましい。
【００１６】
また、本件発明に係る赤外線カメラ用レンズユニットにおいて、前記レンズ鏡筒は、その外周面に、ヒートシンクを設けたものであることが好ましい。
【００１７】
本件発明に係るレンズユニット：  本件発明のレンズユニットは、前記赤外線カメラ用レンズユニットを用いたことを特徴とするものである。
【発明の効果】
【００１８】
本件発明に係る赤外線カメラ用レンズユニットは、撮像画像の振れを光学的に補正する機構をレンズ鏡筒内に配置する構造において、当該機構のアクチュエーターが発する熱の撮像画像への写り込みを防止することができる。従って、本件発明の赤外線カメラ用レンズユニット、及びそれを用いた赤外線カメラは、暗視カメラとして好適に用いることができる。
【図面の簡単な説明】
【００１９】
【図１】本件発明の一実施形態に係る赤外線カメラ用レンズユニットを示す模式断面図である。
【図２】図１におけるａで示した部分の要部断面図である。
【発明を実施するための形態】
【００２０】
以下、本件発明の一実施の形態を図に従って説明する。なお、以下に示す図においては、図の見易さを考慮し、レンズ断面部のハッチングを省略した。
【００２１】
本件発明に係る赤外線カメラ用レンズユニット：  図１は、本件発明の一実施形態に係る赤外線カメラ用レンズユニットを示す模式断面図である。また、図２は、図１におけるａで示した部分の要部断面図である。図１及び図２に示すように、本件発明に係る赤外線カメラ用レンズユニット１は、１以上の赤外線透過レンズ２〜５と、当該赤外線透過レンズ２〜５をレンズ保持枠９〜１２を介して収容するレンズ鏡筒６、７と、撮像画像の像振れを防止するために補正用レンズとして磁気的手段を用いて機能する赤外線透過レンズの像振れ補正挙動を行うためのアクチュエーター２０とを含むものである。そして、当該補正用レンズとして機能する赤外線透過レンズ４のレンズ保持枠１１は、中央に当該赤外線透過レンズ４の固定用開口部を備え、当該レンズ固定用開口部の外周に光軸Ｌ方向に峻立した遮蔽用壁面１１ａを備えている。そして、本件発明に係る赤外線カメラ用レンズユニット１は、当該レンズ保持枠１１に固定した補正用レンズ４と当該アクチュエーター２０の間に、当該レンズ保持枠の遮蔽用壁面１１ａを配置することで、当該補正用レンズ４と当該レンズ鏡筒６、７との間に隔離空間を設けたことを特徴とするものである。
【００２２】
ここで、図１及び図２には、補正用レンズ４に対し像振れ補正挙動を行わせるために、当該遮蔽用壁面１１ａの外側表面に複数の磁石２４を配置し、アクチュエーター２０を当該補正用レンズのレンズ保持枠の磁石２４に対して略平行に近接離間配置した構造が示してある。本件発明に係る赤外線カメラ用レンズユニット１によれば、当該補正用レンズ４に対し像振れ補正挙動を行う際に発生する熱が、当該レンズ鏡筒６、７の中心部に向けて伝達することを防止し、且つ、当該レンズ鏡筒６、７の内壁面から外部に向けての熱の放散効率を高め、レンズ鏡筒６、７内の温度上昇を抑制することが出来る。
【００２３】
すなわち、本件発明に係る赤外線カメラ用レンズユニット１は、当該補正用レンズ４と当該レンズ鏡筒６、７との間に隔離空間を設けることで、レンズ鏡筒６、７内の温度上昇を抑制し、認識対象の熱自体が映像として写り込む暗視画像の画質向上を実現したものである。なお、赤外線カメラ（不図示）は、高品質であるほどレンズ鏡筒内で発生する熱が写り込み易く、撮像品質に影響を及ぼすものである。そのため、本件発明に係る赤外線カメラ用レンズユニット１においては、上述したように、熱源となるアクチュエーター２０の発する熱の撮像画像への写り込みを防止するために、当該アクチュエーター２０の周囲を隔壁で囲むことによって隔離する構造を採った。
【００２４】
なお、図１に示す本件発明係るレンズユニット１は、赤外線透過レンズ２〜５がそれぞれレンズ保持枠９〜１２にレンズ押え環１３〜１６によって固定されている。ちなみに、本件発明のレンズユニット１は、例えばバヨネット爪が形成されたマウント８によって、カメラボディ（不図示）に対して着脱自在に且つ電気的に接続可能となっている。
【００２５】
まず、本件発明の一実施形態における画像の振れを光学的に補正する機構について簡単に説明しておく。図２に示すように、当該機構は、手振れ等に起因する画像の振れを光学的に補正するための補正レンズ４と当該補正レンズ４を保持するレンズ保持枠１１とを含んでいる。当該補正レンズ４は、アクチュエーター２０によって駆動されることにより、撮像素子１７への被写体像の結像位置を補正することが出来る。このときに、レンズ保持枠１１は、当該機構のベース部材２１との間の間隔が球体（不図示）により一定に維持されると共に、当該球体の転がりを利用することで、当該ベース部材２１に対する相対的な位置の移動をスムーズに行うことが出来ることとなる。
【００２６】
また、当該ベース部材２１は、当該レンズ保持枠１１の移動を規制すると共に、その表面に回路基板２２を固定している。当該回路基板２２には、電源（不図示）により電力が供給されるコイル２３が永久磁石２４と対向する位置に固定されており、当該コイル２３の巻線の内側にはホール素子２７が実装されている。このときに、永久磁石２４の磁気をコイル２３に差し向けるバックヨーク１０の存在によって、磁気回路が形成される。そして、当該ホール素子２７は、レンズ保持枠１１の移動によって発生する永久磁石２４からの磁束密度の変化を検知して、補正レンズ４の位置を測定する。そして、当該機構が有する制御手段によって、当該ホール素子２７が検出した位置信号に基づく演算処理が行われ、また補正レンズ４を駆動するための信号がアクチュエーター２０に送られ、補正レンズ４の駆動が行われる。なお、当該補正レンズ４の駆動は、当該コイル２３に電流が流れた際の、当該コイル２３内を流れる電子に働くローレンツ力を利用して行われる。
【００２７】
上述したように、本件発明に係る赤外線カメラ用レンズユニット１は、熱源となる像振れ補正挙動を行うアクチュエーター２０の発する熱の撮像画像への写り込みを防止することを主な課題としている。従って、ここでは、赤外線カメラに関しても簡単に説明しておく。赤外線カメラというのは、暗闇において人間や動物が発生する赤外線を感知して撮像出来るカメラである。ここで、赤外線は、その波長帯によって、近赤外線と、中赤外線と、遠赤外線とに主に分類される。ちなみに、本件発明の赤外線カメラは、中赤外線領域及び遠赤外線領域の赤外線を感知することが可能である。このような赤外線カメラを用いることで、暗闇においてもカメラ前方に存在する人間や動物を速やかに且つ的確に認識することが可能となる。赤外線カメラは、ライト等の光源によって前方を照らし、可視反射光で前方の物体を認識する手法が使用出来ない状況において有効であり、暗闇において光源の届かない遠方や側方の物体の認識を補完するものとして好適に用いられている。
【００２８】
以上のことから、赤外線カメラを使用するにあたって、レンズ鏡筒内に熱源となり得る部材が配置された場合に、当該熱源から放射される赤外線を感知しないようにする対策の必要性について理解出来るであろう。但し、この場合、ヒートパイプ等の熱源を冷却する専用機器を別途用いることとすると、構造の複雑化や製造コストの増大を招く結果となり好ましくない。しかし、本件発明に係る赤外線カメラ用レンズユニット１によれば、レンズ保持枠１１に峻立した遮蔽用壁面１１ａを備えることで撮像画像に熱源の写り込みを防止する効果を得ることが出来る。なお、図１及び図２には、当該遮蔽用壁面１１ａが被写体側に向かって峻立しているのが示されているが、本件発明はこの形状に限定されるものではない。例えば、当該遮蔽用壁面１１ａは、図１及び図２に示す形状において、更に結像面側向かって峻立させることも出来る。
【００２９】
また、本件発明に係る赤外線カメラ用レンズユニット１において、当該補正用レンズ４と当該レンズ鏡筒６、７との間に設けられる隔離空間には、光軸Ｌに沿った被写体側及び結像側の少なくとも一方に、放熱用壁面６ａ、２６を設けたことが好ましい。
【００３０】
本件発明に係る赤外線カメラ用レンズユニット１は、アクチュエーター２０に対して、光軸Ｌに沿った被写体側及び結像側の少なくとも一方に、放熱用壁面６ａ（被写体側）、２６（結像側）を用いて、より完全な閉鎖空間に近い隔離空間を作り出すことで、熱源から発生した熱がレンズ鏡筒の中心部に向けて伝達することをより効果的に防止することが出来ることとなる。ちなみに、図１には、当該放熱用壁面６ａが被写体側のみに配置しているのが示されているが、本件発明はこの形状に限定されるものではない。例えば、当該放熱用壁面６ａは、図２において破線で示したように、更に結像面側にも配置させることが出来る。
【００３１】
なお、本件発明のレンズ鏡筒６、７内に形成する当該隔離空間が閉鎖空間に近い領域であると、その空間温度は上昇する一途である。そのため、この場合には、レンズ鏡筒の内壁面から外部に向けての放散効率を更に高め、より効果的にレンズ鏡筒内の温度上昇を抑制する必要がある。そうすると、当該アクチュエーター２０を隔離するために設ける壁面は、放熱機能を有する材質や形状を備えたものであることがより好ましい。そうすることで、本件発明に係る赤外線カメラ用レンズユニット１は、熱による揺らぎのない、高品質の暗視画像を得ることが出来る。
【００３２】
また、本件発明に係る赤外線カメラ用レンズユニット１において、放熱用壁面６ａ、２６は、補正用レンズ４のレンズ保持枠１１が備える遮蔽用壁面１１ａの先端部から鏡筒の内壁面に向けて配置したものであることが好ましい。
【００３３】
本件発明に係る赤外線カメラ用レンズユニット１は、レンズ保持枠１１の設計を変更するだけで、容易に対応可能な方法である。上述したように、当該レンズ保持枠１１が備える遮蔽用壁面１１ａは、図１及び図２に示す形状に対し、更に結像面側向かって峻立させることも出来る。図示していないが、この場合に、遮蔽用壁面１１ａの結像面側の先端部から鏡筒の内壁面に向けて配置した放熱用壁面は、符号２６で示す放熱用壁面となる。なお、本件発明に係る赤外線カメラ用レンズユニット１において、放熱用壁面６ａ、２６は、レンズ鏡筒６、７の内壁面に接することなく、レンズ保持枠１１に対して接する構造とすることも出来る。この場合、例え当該放熱用壁面６ａがレンズ鏡筒６、７の内壁面に接しない構造であっても、双方部材が熱伝達可能な距離で離間して配置される限り熱源の発する熱をレンズ鏡筒６、７の外部に放熱することが出来る。
【００３４】
また、本件発明に係る赤外線カメラ用レンズユニット１において、放熱用壁面６ａ、２６は、鏡筒６、７の内壁面から延設したものであることが好ましい。
【００３５】
本件発明に係る赤外線カメラ用レンズユニット１は、その設計において、このような構造を採用することも出来る。すなわち、本件発明に係る赤外線カメラ用レンズユニット１において、放熱用壁面６ａ、２６は、レンズ保持枠１１に接することなく、レンズ鏡筒の内壁面のみに対して接する構造とすることも出来る。このように、当該放熱用壁面６ａ、２６が、レンズ鏡筒６、７の内壁面と繋がっていることで、レンズ鏡筒６、７の内壁面から外部に向けての熱の放散効率を高め、レンズ鏡筒６、７内の温度上昇の抑制をより図ることが出来る。
【００３６】
また、本件発明に係る赤外線カメラ用レンズユニット１において、レンズ保持枠１１の遮蔽用壁面１１ａは、プラスチック樹脂を用いて形成したものであることが好ましい。
【００３７】
本件発明に係る赤外線カメラ用レンズユニット１において、レンズ保持枠１１の遮蔽用壁面１１ａは、熱の伝達を遮断する必要があるため、熱伝導性に欠けるプラスチック樹脂を使用することが好ましい。このように、本件発明に係る赤外線カメラ用レンズユニット１は、補正レンズ４に最も近い位置にある当該遮蔽用壁面１１ａを伝熱性に劣る材質で構成することで、熱源の発する熱をレンズ鏡筒の中心部に向けて伝達するのを確実に抑止すると共に、熱をレンズ鏡筒６、７側に速やかに移動させることが出来る。
【００３８】
また、本件発明に係る赤外線カメラ用レンズユニット１において、レンズ鏡筒６、７及び放熱用壁面６ａ、２６は、アルミニウム系金属材、鉄系金属材から選択される熱伝導性に優れた金属材で形成されたものであることが好ましい。
【００３９】
本件発明に係る赤外線カメラ用レンズユニット１において、放熱用壁面６ａ、２６は、熱伝導性を考慮すれば、金属材で形成することが好ましい。また、当該放熱用壁面６ａ、２６は、軽量化と耐腐食性を重視するならば、アルミニウム、アルミニウム合金等のアルミニウム系金属材で形成することが好ましい。そして、当該放熱用壁面６ａ、２６がアルミニウム系金属材の場合には、その表面にアルマイト処理を施して、熱の放散性を更に高めることがより好ましい。当該放熱用壁面６ａ、２６の外表面に対してアルマイト処理を施した場合、処理を施した表面にミクロポアが備わり空気と接触する面積が大きくなることで輻射率が上がり、放熱量を増大させる効果を更に向上させることが出来る。なお、当該放熱用壁面６ａ、２６は、強度、摺動特性、価格等の観点から見れば、鋳鉄、鋼、ステンレス鋼等の鉄系金属材を選択することも好ましい。
【００４０】
また、本件発明に係る赤外線カメラ用レンズユニット１において、レンズ鏡筒６、７は、その外周面に、ヒートシンクを設けたものであることが好ましい。
【００４１】
本件発明に係る赤外線カメラ用レンズユニット１は、レンズ鏡筒６、７の外周面にヒートシンクを設けることで、レンズ鏡筒６、７の外周面からの熱の放散効率を、更に高めることが出来る。その結果、本件発明に係る赤外線カメラ用レンズユニット１は、更にレンズ鏡筒６、７内の温度上昇の抑制を図ることが出来ることとなる。なお、本件発明のレンズ鏡筒６、７は、その外周面にヒートシンクを設けることに加え、アルミニウム系金属材、鉄系金属材から選択される熱伝導性に優れた金属材で形成されることで、レンズ鏡筒６、７内で発生した熱をより効果的にレンズ鏡筒６、７外に放熱させることが出来る。
【００４２】
参考までに、ヒートシンクとは、発熱する機械・電気部品に取り付けて、熱の放散によって温度を下げることを目的にした部品を言う。ヒートシンクの性能は、その材質、大きさ、形状等によって決まり、特に表面積が広くなるような形状に成形されることで性能の向上が図れるとされている。本件発明に係る赤外線カメラ用レンズユニット１においては、これらヒートシンクに関する条件について、他の構成部品との関係を考慮した上で好ましい条件を任意に設定することが出来る。
【００４３】
本件発明に係る赤外線カメラ：  本件発明の赤外線カメラ（不図示）は、上述した本件発明に係る赤外線カメラ用レンズユニット１を用いたことを特徴とするものである。従って、本件発明の赤外線カメラを採用することで、光学品質に優れた赤外線カメラを提供することが出来る。また、赤外線カメラは、構成する手振れ補正機構を含め熱源となる電気・電子機器の高性能化に伴い、その発熱量が年々増加傾向となることは明白である。従って、将来的に、赤外線カメラにおいて、動作の不安定化や処理速度の低下等の熱に伴う弊害が起こる危険性はますます高くなる。しかし、本件発明に係る赤外線カメラによれば、上述した本件発明に係る赤外線カメラ用レンズユニット１を用いることで、これら熱を原因とした問題が起こらない。
【産業上の利用可能性】
【００４４】
以上説明したように、本件発明に係る赤外線カメラ用レンズユニットによれば、像振れを光学的に補正する機構をレンズ鏡筒内に配置する構成において、当該機構が発する熱の撮像画像への写り込みを防止するすることができる。従って、本件発明に係る赤外線カメラ用レンズユニットを用いた赤外線カメラは、暗闇においても物体認識を正確に行うことが出来、車両搭載遠赤外線システムやセキュリティ対策用の監視カメラ等に好適に用いることができる。
【符号の説明】
【００４５】
１          赤外線カメラ用レンズユニット
２、３、５  赤外線透過レンズ
４          補正レンズ
６、７      レンズ鏡筒
８          マウント
９〜１２    レンズ保持枠
１３〜１６  レンズ押え環
１７        撮像素子
Ｌ          光軸
【図１】
0005871252.tif 000002
【図２】
0005871252.tif 000003